(57)【要約】【課題】    糊撹拌供給装置に貯留された糊の残量を認識できないので、糊撹拌供給装置の糊タンクの糊が無くなった場合に、作業者が気づいて止めなければ糊付けを実行し続ける。作業者が糊撹拌供給装置の糊タンクの糊切れに気づくのが遅かった場合には、糊付けの途中で自動壁紙糊付機の糊箱の糊がなくなって壁紙に塗布される糊がかすれる。【解決手段】  糊撹拌供給装置に貯留された糊の初期量を、糊の粘度と、糊の塗布厚みと、壁紙の幅によって定まる、糊付け可能長さに換算した糊残量として定め、糊残量から、糊付けした壁紙の糊付け長さを減算することにより、撹拌供給装置に貯留された糊の現時点の糊残量を算出しつつ糊付けを実行し、現時点の糊残量が所定量以下になった場合に、自動壁紙糊付機が警告をだす。【選択図】図１
2019188347.tif 000002
【特許請求の範囲】
【請求項１】
糊を塗布した壁紙の糊付け長さを算出しつつ、設定された長さの壁紙に糊を塗布する自動壁紙糊付機において、前記自動壁紙糊付機と、壁紙に塗布する糊を貯留して前記自動壁紙糊付機に供給する糊撹拌供給装置で構成され、前記自動壁紙糊付機は、前記自動壁紙糊付機の糊箱に貯留された糊の液面高さが、制御領域下限高さから制御領域上限高さに至るまでの糊の量を制御糊量と定め、前記制御糊量と、壁紙に塗布する糊の塗布厚みと壁紙の幅と糊の粘度から糊切れ警告長を求め、糊付け長さが、前記糊切れ警告長に達した場合に、前記糊撹拌供給装置を起動させて、予め定めた一定量の糊を前記自動壁紙糊付機に供給する機能を有する、前記自動壁紙糊付機の糊撹拌供給システムであって、
前記糊撹拌供給装置に貯留された糊の初期量を、糊の粘度と、糊の塗布厚みと、壁紙の幅によって定まる、糊付け可能長さに換算した糊残量として定め、前記糊残量から、糊付けした壁紙の前記糊付け長さを減算することにより、前記撹拌供給装置に貯留された糊の現時点の前記糊残量を算出しつつ糊付けを実行し、現時点の前記糊残量が所定量以下になった場合に、前記自動壁紙糊付機が警告をだすことを特徴とする前記自動壁紙糊付機の糊撹拌供給システム。
【請求項２】
設定された長さの壁紙に糊を塗布する自動壁紙糊付機において、
前記自動壁紙糊付機と、壁紙に塗布する糊を貯留して前記自動壁紙糊付機に供給する糊撹拌供給装置で構成され、前記自動壁紙糊付機は、糊を含む糊箱の重量を検出する重量検出部を有し、検出重量が所定の重量よりも軽くなった場合に糊切れと判定し、予め定められた時間だけ前記糊撹拌供給装置を起動させて、糊を前記自動壁紙糊付機に供給する機能を有する、前記自動壁紙糊付機の糊撹拌供給システムであって、
前記糊撹拌供給装置に貯留された糊の初期量を、前記糊撹拌供給装置の供給能力に基づく供給時間に換算した糊残量として定め、糊付けを実行中に前記糊撹拌供給装置が起動した時間を前記糊残量から減算していくことにより、前記撹拌供給装置に貯留された糊の現時点の前記糊残量を算出しつつ糊付けを実行し、現時点の前記糊残量が所定量以下になった場合に、前記自動壁紙糊付機が警告をだすことを特徴とする前記自動壁紙糊付機の糊撹拌供給システム。
【請求項３】
壁紙に糊を塗布する自動壁紙糊付機と、糊を撹拌する糊撹拌供給装置で構成され、前記糊撹拌供給装置は、糊を撹拌して貯留する糊タンクと、糊を前記自動壁紙糊付機に供給するためのホースを有する、前記自動壁紙糊付機の糊撹拌供給システムであって、
前記自動壁紙糊付機は前記糊撹拌供給装置を制御するための制御信号を送信する糊撹拌供給装置制御部を有し、前記糊撹拌供給装置は前記自動壁紙糊付機の前記糊撹拌供給装置制御部から送信される前記制御信号を受信する撹拌供給駆動制御部を有し、前記制御信号は、前記糊撹拌供給装置に撹拌を実行させるか、あるいは供給を実行させるかを切り替えるための撹拌供給切り替え信号と、前記糊撹拌供給装置を起動するための起動信号で構成され、
前記自動壁紙糊付機は、前記制御信号を前記糊撹拌供給装置に送信することより、前記糊撹拌供給装置の撹拌と供給を切り替えて制御することを特徴とする前記自動壁紙糊付機の糊撹拌供給システム。
【請求項４】
前記起動信号は撹拌供給モーターを回転起動させる信号であり、前記撹拌供給切り替え信号は、前記撹拌供給モーターの回転方向を切り替える信号であることを特徴とする、前記請求項３記載の自動壁紙糊付機の糊撹拌供給システム。
【請求項５】
前記糊撹拌供給装置は、ホースの先端が前記糊撹拌供給装置に戻されていることを検知するためのホース差し込み検知手段を有し、前記糊撹拌供給装置が前記自動壁紙糊付機にホース差し込み信号を送信し、前記自動壁紙糊付機が前記ホース差し込み信号を受信することにより、前記糊撹拌供給装置が撹拌可能な状態であることを前記自動壁紙糊付機が検知することを特徴とする、前記請求項３、または前記請求項４記載の自動壁紙糊付機の糊撹拌供給システム。
【発明の詳細な説明】
【技術分野】
【０００１】
本発明は、部屋の天井や壁面に貼る壁紙に糊を塗布するための自動壁紙糊付機における糊撹拌供給システムである。詳しくは、糊撹拌供給装置に貯留した壁紙糊付け用の糊の残量を算出する機能を有する糊撹拌供給システムであり、また、壁紙糊付け用の糊を生成するために糊と水を混ぜる撹拌と糊タンクの洗浄を全自動で実行する機能を有する糊撹拌供給システムである。
【背景技術】
【０００２】
図１２を用いて従来技術の糊撹拌供給システム（１００）の構成を説明する。
糊撹拌供給システム（１００）は、自動壁紙糊付機（１１０）と糊撹拌供給装置（１５０）からなり、自動壁紙糊付機（１１０）には、糊撹拌供給システム（１００）を制御するための壁紙糊付制御部（１１１）が設けられており、
壁紙糊付制御部（１１１）は、壁紙糊付表示操作部（１１２）とモーター制御部（１１６）と 壁紙搬送モーター（１１８）と記憶部（１１４）と検尺部（１１５）と壁紙糊付演算部（１１３）を有している。
【０００３】
壁紙糊付表示操作部（１１２）は、液晶表示器とＬＥＤを備え、作業者が設定した「設定糊付け長さ」や「設定枚数」や「糊付け実行速度」などの、糊付けを実行するための作動条件や、補助機能の設定内容や、高電圧や糊残量などの警告や、糊を塗布して排出した壁紙Ａの長さである「実行糊付け長さ」などを表示する。また、壁紙糊付表示操作部（１１２）には、自動壁紙糊付機（１１０）を操作するための複数のキースイッチ（図示せず）が設けられている。また、操作音や通知音を発生するブザー（図示せず）が設けられている。
【０００４】
モーター制御部（１１６）は壁紙搬送モーター（１１８）から出力される回転方向や回転速度に比例した信号により壁紙搬送モーター（１１８）を速度制御するものである。
【０００５】
壁紙搬送モーター（１１８）はＤＣブラシレスモーターであり、内部に実装されたホール素子によりローターの位置を検出して回転方向と回転速度に比例した信号を出力する機能を有している。
【０００６】
記憶部（１１４）は、壁紙糊付演算部（１１３）が処理を実行する為に必要な変数や、作動条件などのデータや糊付実行レコード等のデーターを記憶するためのＲＡＭとＲＯＭである。
【０００７】
検尺部（１１５）は、搬送される壁紙に従動回転する検尺ローラー（１１９）の回転に比例する検尺信号を生成し、搬送された壁紙Ａの長さＬを、生成された検尺信号のパルスの数を変数ｋｔとして計数し、演算式  Ｌ＝ｋｔ×Ｐ  （Ｐは１パルスの壁紙移動長＝２．５ｍｍ）により算出する。
検尺信号は、検尺ローラー（１１９）に設けられたスリット板（図示せず）とフォトマイクロセンサ（図示せず）により生成され、演算は、壁紙糊付演算部（１１３）が行う。
自動壁紙糊付機（１１０）では、検尺ローラー（１１９）が１回転すれば、検尺信号は４８パルス生成され、壁紙Ａが２．５ｍｍ移動すると１パルス発生するように検尺ローラー（１１９）の外径を定めている。
壁紙糊付演算部（１１３）は、糊付けを実行しつつ、演算により求めた糊付け長さＬを「実行糊付け長さ」として、壁紙糊付表示操作部（１１２）に表示する。
【０００８】
壁紙糊付演算部（１１３）は、主にワンチップマイコンからなり、予め定められたシーケンスを実行することにより、糊撹拌供給システム（１００）の全体を制御するものであり、検尺部（１１５）により生成される検尺信号を計数して搬送した壁紙Ａの「実行糊付け長さ」を算出する。  また、壁紙糊付表示操作部（１１２）やモーター制御部（１１６）などを制御する機能を有している。
【０００９】
また、壁紙糊付演算部（１１３）は、糊箱（１２４）に貯留された糊Ｂの液面高さが、
制御領域下限高さから制御領域上限高さに至るまでの糊Ｂの量を「制御糊量」と定め、
制御糊量と、壁紙Ａに塗布する糊Ｂの塗布厚みと壁紙の幅と糊の粘度から「糊切れ警告長」を求め、「実行糊付け長さ」が「糊切れ警告長」に達した場合に、糊撹拌供給装置（１５０）を起動させて、予め定めた一定量の糊Ｂを供給（補充）する機能を有する。
【００１０】
また、壁紙糊付演算部（１１３）は、糊Ｂを含む糊箱（１２４）の重量を検出する重量検出部（図示せず）が検出した検出重量を受信し、検出重量が所定の重量よりも軽くなった場合に糊切れと判定し、予め定められた時間だけ糊撹拌供給装置（１５０）を起動させて、糊Ｂを糊箱（１２４）に供給（補充）する機能を有する。
【００１１】
サービスコンセント（１３３）は、糊撹拌供給装置（１５０）の電源コード（１６５）を接続して電源電力を供給するためのもので、壁紙糊付演算部（１１３）により、通電をＯＮさせたりＯＦＦさせたりできるものである。
【００１２】
また、自動壁紙糊付機（１１０）は、壁紙Ａを搬送して糊Ｂを塗布するための複数のローラーを軸支するためのフレームや、複数の歯車や、糊Ｂを貯留する糊箱（１２４）やスリッター（１２５）などを装着する本体部と脚部（１２８）で構成され、壁紙Ａの壁紙原反が壁紙保持用リール（１２６）に保持され原反受け（１２７）にセットされる。
壁紙原反から引き出された壁紙Ａは、送り出しローラー（１２０）と検尺ローラー（１１９）により搬送され、糊箱（１２４）に貯留されている糊Ｂが糊上げローラー（１２２）により汲み上げられて糊付けローラー（１２１）に転写され、ドクターローラー（１２３）により規制された厚みの糊量が壁紙Ａに塗布される。
【００１３】
続いて、糊撹拌供給装置（１５０）の構成を説明する。
糊撹拌供給装置（１５０）は、回転方向を切り替え可能な撹拌供給モーター（１５２）に、
第１のワンウェイクラッチ（１５３ａ）を介して結合された撹拌羽根により糊を撹拌し、
撹拌供給モーター（１５２）に第２のワンウェイクラッチ（１５３ｂ）を介して結合されたポンプにより糊の供給を行い、単一の撹拌供給モーター（１５２）の回転方向を切り替えることにより、糊の撹拌と供給を行うものである。
撹拌供給モーター（１５２）がＣＷ方向（時計回り）に回転した場合には撹拌羽根が回転し、
ＣＣＷ（反時計回り）に回転した場合には糊供給ポンプが回転する。
【００１４】
撹拌供給操作部（１６６）は、糊撹拌供給装置（１５０）を操作するためのもので、
撹拌する時間を設定する撹拌タイマー（１６７）や撹拌供給切り替えスイッチ（図示せず）やフットスイッチ（図示せず）などで構成されている。
【００１５】
撹拌供給駆動制御部（１５１）は、撹拌供給操作部（１６６）からの操作信号により、複数のソリッドステートリレー等により、撹拌供給モーター（１５２）をＣＷ方向またはＣＣＷ方向に回転させる回路である。
【００１６】
また、糊撹拌供給装置（１５０）には、側面に目盛り付き窓（１５８）が設けられた糊タンク（１５５）と蓋（１５９）と運搬用の取手（１６１）が設けられている。
また、糊タンク（１５５）の底部から、長さ約２メートルのホース（１５４）が設けられており、ホース（１５４）の先端にはノズル（１５６）が脱着可能に取り付けられている。
また、蓋（１５９）には、ノズル（１５６）を差し込んで保持するためのゴムブッシュ付きの穴（１６３）が設けられている。
また、ホース（１５４）には、運搬時にホース（１５４）を固定するためのフック（１６０）が取り付けられている。
【００１７】
図１３を用いて糊と水を調合して壁紙糊付け用の糊Ｃを生成する時の接続を説明する。
自動壁紙糊付機（１１０）の電源コード（１３２）は外部電源Ｄに接続され、糊撹拌供給装置（１５０）の電源コード（１６５）は外部電源Ｅに接続される。
外部電源Ｄ及び外部電源Ｅは、ほとんどの内装施工現場では、電力会社から供給される商用電源の異なるコンセントとなるが、状況によっては、ディーゼルエンジン発電機や自動車のバッテリーを使用する場合もある。
【００１８】
ペースト糊１８Ｋｇを水１２リットルで希釈撹拌して、粘度８０００Ｃｐの糊を３０Ｋｇ生成する場合において撹拌を説明する。
作業者により、糊タンク（１５５） に水１２リットルが入れられ、ペースト糊１８Ｋｇが入れられる。そして、蓋（１５９）が閉められ、ホース（１５４）の先端がゴムブッシュ付きの穴（１６３）に差し込まれる。
【００１９】
続いて作業者により、糊撹拌供給装置（１５０）の撹拌供給操作部（１６６）の撹拌タイマー（１６７）が約１０分に設定され、撹拌供給切り替えスイッチ（図示せず）が撹拌側にセットされると、撹拌供給駆動制御部（１５１）は、撹拌供給モーター（１５２）をＣＷ方向に回転させ、第１のワンウェイクラッチ（１５３ａ）により、糊タンク（１５５）の撹拌羽根を回転させて撹拌を開始する。そして、撹拌タイマー（１６７）が約１０分経過すると撹拌供給モーター（１５２）を停止させる。
ここまでの動作により、糊と水が撹拌されて壁紙糊付け用の糊Ｃが生成されたのであるが、まだ、糊タンク（１５５）の下方のポンプ部（図示せず）とホース（１５４）の根元に水が溜まっており、この水を抜く必要があるので、
【００２０】
作業者により、撹拌供給切り替えスイッチ（図示せず）がポンプ側にセットされると、撹拌供給駆動制御部（１５１）は、撹拌供給モーター（１５２）をＣＣＷ方向に回転させ、第２のワンウェイクラッチ（１５３ｂ）により、糊供給ポンプを約３０秒間作動させる。
この操作により、糊タンク（１５５）の下方のポンプ部（図示せず）とホース（１５４）の根元に溜まっていた水が糊供給ポンプにより汲み上げられてホース（１５４）の先端のノズル（１５６）から糊タンク（１５５）に入り、撹拌された壁紙糊付け用の糊Ｃの上にこぼれる。
【００２１】
そして、この水も壁紙糊付け用の糊Ｃと混ぜる必要があるので、続いて、糊撹拌供給装置（１５０）の撹拌供給操作部（１６６）の撹拌タイマー（１６７）が約１分に設定され、撹拌供給切り替えスイッチ（図示せず）が撹拌側にセットされると、
撹拌供給駆動制御部（１５１）は、撹拌供給モーター（１５２）をＣＷ方向に回転させ、第１のワンウェイクラッチ（１５３ａ）により、糊タンク（１５５）の撹拌羽根を回転させて撹拌を開始する。そして、撹拌タイマー（１６７）が約１分経過すると撹拌供給モーター（１５２）を停止させる。
以上で撹拌が完了し、生成された壁紙糊付け用の糊Ｃは糊タンク（１５５）に貯留される。
【００２２】
続いて、糊撹拌供給装置（１５０）の糊タンク（１５５）に貯留されている糊Ｃを、自動壁紙糊付機（１１０）の糊箱（１２４）に供給（補充）しながら、糊付けを実行する場合を説明する。
ホース（１５４）は図１４に示すように自動壁紙糊付機（１１０）の糊箱（１２４）に接続される。また、自動壁紙糊付機（１１０）の電源コード（１３２）は外部電源Ｄに接続され、糊撹拌供給装置（１５０）の電源コード（１６５）は図１２の２点鎖線に示すように自動壁紙糊付機（１１０）のサービスコンセント（１３３）に接続され、糊撹拌供給装置（１５０）の撹拌供給切り替えスイッチ（図示せず）は常時ポンプ側にセットされた状態で、自動壁紙糊付機（１１０）の壁紙糊付演算部（１１３）がサービスコンセント（１３３）への外部電源Ｄの通電をＯＮした時に、糊撹拌供給装置（１５０）の撹拌供給駆動制御部（１５１）は、撹拌供給モーター（１５２）をＣＣＷ方向に回転させ、第２のワンウェイクラッチ（１５３ｂ）により、糊供給ポンプを作動させて糊タンク（１５５）に貯留されている糊Ｃを糊箱（１２４）に供給（補充）し、所定の（適量の）糊Ｂが糊箱（１２４）に供給されれば、自動壁紙糊付機（１１０）の壁紙糊付演算部（１１３）がサービスコンセント（１３３）への外部電源Ｄの通電をＯＦＦして撹拌供給モーター（１５２）を停止させ、供給を停止させる。
【００２３】
また、糊Ｂの糊箱（１２４）への供給量は自動壁紙糊付機（１１０）の壁紙糊付演算部（１１３）が定めている。その方法は、糊箱（１２４）に貯留される糊Ｂの有効糊量を「実行糊付け長さ」に換算して糊切れ警告長さＬＫとして記憶部（１１４）に記憶しておき、糊付け実行中に検尺部（１１５）のパルスにより算出した「実行糊付け長さ」と比較して糊切れを検知する方法のものと、糊Ｂを含む糊箱（１２４）の重量が一定の重量よりも軽くなったことにより糊切れを検知する方法のものがある。
いずれの方法の自動壁紙糊付機（１１０）を用いる場合でも、壁紙糊付演算部（１１３）が糊切れを検知し、サービスコンセント（１３３）への外部電源Ｄの通電をＯＮすることにより、糊撹拌供給装置（１５０）の糊タンク（１５５）に貯留された糊Ｃを糊箱（１２４）に供給（補充）しながら糊付けを実行するものである。
【００２４】
壁紙施工作業が全て完了し、現場を移動する場合には糊撹拌供給装置（１５０）を洗浄する。洗浄する場合には、作業者により、糊タンク（１５５）内部を洗浄するための少量の洗浄用の水が入れられ、蓋（１５９）が閉められ、ホース（１５４）の先端は自動壁紙糊付機（１００）の糊箱（１２４）から外されて、糊撹拌供給装置（１５０）の蓋（１５９）のゴムブッシュ付きの穴（１６３）に差し込まれる。
【００２５】
作業者により、撹拌タイマー（１６７）が約２分に設定され、撹拌供給切り替えスイッチ（図示せず）が撹拌側にセットされると、撹拌供給駆動制御部（１５１）は、撹拌供給モーター（１５２）をＣＷ方向に回転させ、第１のワンウェイクラッチ（１５３ａ）により、糊タンク（１５５）の撹拌羽根を回転させて糊タンク（１５５）の内部の糊タンク（１５５）の内側に付着している糊Ｃが水により洗い落とされる。そして、撹拌タイマー（１６７）が約２分経過すると撹拌供給モーター（１５２）を停止させる。
【００２６】
続いて作業者により、撹拌供給切り替えスイッチ（図示せず）がポンプ側にセットされると、撹拌供給駆動制御部（１５１）は、撹拌供給モーター（１５２）をＣＣＷ方向に回転させ、第２のワンウェイクラッチ（１５３ｂ）により、糊供給ポンプを作動させて、
洗浄用の水を糊タンク（１５５）と糊タンク（１５５）の下方のポンプ部（図示せず）とホース（１５４）を循環させて洗浄する。
【先行技術文献】
【特許文献】
【００２７】
【特許文献１】第５０９２０９６号
【００２８】
【特許文献１】第４８７３５５１号
【００２９】
【特許文献２】第５５６９６７１号
【発明の開示】
【発明が解決しようとする課題】
【００３０】
従来技術の糊撹拌供給システムは、糊撹拌供給装置に貯留された糊の残量を認識できないので、糊撹拌供給装置の糊タンクの糊が無くなった場合でも、作業者が気づいて止めなければ糊付けを実行し続ける。作業者が糊撹拌供給装置の糊タンクの糊切れに気づくのが遅かった場合には、糊付けの途中で自動壁紙糊付機の糊箱の糊がなくなって壁紙に塗布される糊がかすれる。
このような背景から、糊撹拌供給装置の糊タンクの糊残量を認識できる糊撹拌供給システムが望まれている。
【００３１】
また、従来技術の糊撹拌供給システムは、糊と水を混ぜる撹拌においても、糊タンクの洗浄においても、撹拌と洗浄の途中で、作業者が糊撹拌供給装置の撹拌タイマーや撹拌供給切り替えスイッチを操作する必要があり、作業者が糊撹拌供給システムから離れて別の用事をしている間にタイマー時間が過ぎた場合、糊撹拌供給装置はそのまま停止した状態となっている。
このような背景から、一度設定すれば途中操作が必要ない、全自動の糊撹拌供給システムが望まれている。
【課題を解決するための手段】
【００３２】
糊を塗布した壁紙の糊付け長さを算出しつつ、設定された長さの壁紙に糊を塗布する自動壁紙糊付機において、
自動壁紙糊付機と、壁紙に塗布する糊を貯留して自動壁紙糊付機に供給する糊撹拌供給装置で構成され、
自動壁紙糊付機は、自動壁紙糊付機の糊箱に貯留された糊の液面高さが、制御領域下限高さから制御領域上限高さに至るまでの糊の量を制御糊量と定め、
制御糊量と、壁紙に塗布する糊の塗布厚みと壁紙の幅と糊の粘度から糊切れ警告長を求め、糊付け長さが、糊切れ警告長に達した場合に、糊撹拌供給装置を起動させて、予め定めた一定量の糊を自動壁紙糊付機に供給する機能を有する、自動壁紙糊付機の糊撹拌供給システムであって、
糊撹拌供給装置に貯留された糊の初期量を、糊の粘度と、糊の塗布厚みと、壁紙の幅によって定まる、糊付け可能長さに換算した糊残量として定め、
糊残量から、糊付けした壁紙の糊付け長さを減算することにより、撹拌供給装置に貯留された糊の現時点の糊残量を算出しつつ糊付けを実行し、現時点の糊残量が所定量以下になった場合に、自動壁紙糊付機が警告をだすことを特徴とする。
【００３３】
設定された長さの壁紙に糊を塗布する自動壁紙糊付機において、
自動壁紙糊付機と、壁紙に塗布する糊を貯留して自動壁紙糊付機に供給する糊撹拌供給装置で構成され、
自動壁紙糊付機は、糊を含む糊箱の重量を検出する重量検出部を有し、検出重量が所定の重量よりも軽くなった場合に糊切れと判定し、予め定められた時間だけ糊撹拌供給装置を起動させて、糊を自動壁紙糊付機に供給する機能を有する、自動壁紙糊付機の糊撹拌供給システムであって、
糊撹拌供給装置に貯留された糊の初期量を、糊撹拌供給装置の供給能力に基づく供給時間に換算した糊残量として定め、糊付けを実行中に糊撹拌供給装置が起動した時間を糊残量から減算していくことにより、撹拌供給装置に貯留された糊の現時点の糊残量を算出しつつ糊付けを実行し、現時点の糊残量が所定量以下になった場合に、自動壁紙糊付機が警告をだすことを特徴とする。
【００３４】
壁紙に糊を塗布する自動壁紙糊付機と、糊を撹拌する糊撹拌供給装置で構成され、
糊撹拌供給装置は、糊を撹拌して貯留する糊タンクと、糊を自動壁紙糊付機に供給するためのホースを有する、自動壁紙糊付機の糊撹拌供給システムであって、
自動壁紙糊付機は、糊撹拌供給装置を制御するための制御信号を送信する糊撹拌供給装置制御部を有し、
糊撹拌供給装置は、自動壁紙糊付機の糊撹拌供給装置制御部から送信される制御信号を受信する撹拌供給駆動制御部を有し、
制御信号は、糊撹拌供給装置に撹拌を実行させるか、あるいは供給を実行させるかを切り替えるための撹拌供給切り替え信号と、糊撹拌供給装置を起動するための起動信号で構成され、
自動壁紙糊付機は、制御信号を糊撹拌供給装置に送信することより、糊撹拌供給装置の撹拌と供給を切り替えて制御することを特徴とする。
【００３５】
起動信号は撹拌供給モーターを回転起動させる信号であり、撹拌供給切り替え信号は、撹拌供給モーターの回転方向を切り替える信号であることを特徴とする。
【００３６】
糊撹拌供給装置は、ホースの先端が糊撹拌供給装置に戻されていることを検知するためのホース差し込み検知手段を有し、
糊撹拌供給装置が自動壁紙糊付機にホース差し込み信号を送信し、自動壁紙糊付機がホース差し込み信号を受信することにより、糊撹拌供給装置が撹拌可能な状態であることを自動壁紙糊付機が検知することを特徴とする。
【発明の効果】
【００３７】
糊を塗布した壁紙の糊付け長さを算出しつつ、設定された長さの壁紙に糊を塗布する自動壁紙糊付機において、自動壁紙糊付機と、壁紙に塗布する糊を貯留して自動壁紙糊付機に供給する糊撹拌供給装置で構成され、自動壁紙糊付機は、自動壁紙糊付機の糊箱に貯留された糊の液面高さが、制御領域下限高さから制御領域上限高さに至るまでの糊の量を制御糊量と定め、制御糊量と、壁紙に塗布する糊の塗布厚みと壁紙の幅と糊の粘度から糊切れ警告長を求め、糊付け長さが、糊切れ警告長に達した場合に、糊撹拌供給装置を起動させて、予め定めた一定量の糊を自動壁紙糊付機に供給する機能を有する、自動壁紙糊付機の糊撹拌供給システムであって、
糊撹拌供給装置に貯留された糊の初期量を、糊の粘度と、糊の塗布厚みと、壁紙の幅によって定まる、糊付け可能長さに換算した糊残量として定め、糊残量から、糊付けした壁紙の糊付け長さを減算することにより、撹拌供給装置に貯留された糊の現時点の糊残量を算出しつつ糊付けを実行し、現時点の糊残量が所定量以下になった場合に、自動壁紙糊付機が警告をだすことを特徴とするので、
糊付けの途中で自動壁紙糊付機の糊箱の糊がなくなって壁紙に塗布される糊がかすれることを未然に防止できる。
また、糊撹拌供給装置に貯留されている糊残量を検知するための液面検知センサーを設ける必要がないので、糊撹拌供給装置の製造原価を低くおさえることができる。
【００３８】
設定された長さの壁紙に糊を塗布する自動壁紙糊付機において、自動壁紙糊付機と、壁紙に塗布する糊を貯留して自動壁紙糊付機に供給する糊撹拌供給装置で構成され、自動壁紙糊付機は、糊を含む糊箱の重量を検出する重量検出部を有し、検出重量が所定の重量よりも軽くなった場合に糊切れと判定し、予め定められた時間だけ糊撹拌供給装置を起動させて、糊を自動壁紙糊付機に供給する機能を有する、自動壁紙糊付機の糊撹拌供給システムであって、
糊撹拌供給装置に貯留された糊の初期量を、糊撹拌供給装置の供給能力に基づく供給時間に換算した糊残量として定め、糊付けを実行中に糊撹拌供給装置が起動した時間を糊残量から減算していくことにより、撹拌供給装置に貯留された糊の現時点の糊残量を算出しつつ糊付けを実行し、現時点の糊残量が所定量以下になった場合に、自動壁紙糊付機が警告をだすことを特徴とするので、
糊付けの途中で自動壁紙糊付機の糊箱の糊がなくなって壁紙に塗布される糊がかすれることを未然に防止できる。
また、糊撹拌供給装置に貯留されている糊残量を検知するための重量検知センサーを設ける必要がないので、糊撹拌供給装置の製造原価を低くおさえることができる。
【００３９】
壁紙に糊を塗布する自動壁紙糊付機と、糊を撹拌する糊撹拌供給装置で構成され、糊撹拌供給装置は、糊を撹拌して貯留する糊タンクと、糊を自動壁紙糊付機に供給するためのホースを有する、自動壁紙糊付機の糊撹拌供給システムであって、
自動壁紙糊付機は糊撹拌供給装置を制御するための制御信号を送信する糊撹拌供給装置制御部を有し、糊撹拌供給装置は自動壁紙糊付機の糊撹拌供給装置制御部から送信される制御信号を受信する撹拌供給駆動制御部を有し、制御信号は、糊撹拌供給装置に撹拌を実行させるか、あるいは供給を実行させるかを切り替えるための撹拌供給切り替え信号と、糊撹拌供給装置を起動するための起動信号で構成され、自動壁紙糊付機は、制御信号を糊撹拌供給装置に送信することより、糊撹拌供給装置の撹拌と供給を切り替えて制御することを特徴とするので、
糊と水を混ぜる撹拌においても、糊タンクの洗浄においても、撹拌と洗浄の途中で、作業者が糊撹拌供給装置の撹拌タイマーや撹拌供給切り替えスイッチを操作する必要がなく、作業者が糊撹拌供給システムから離れて別の用事をしている間に時間が経過した場合でも、糊撹拌供給装置は撹拌を完了する、全自動の糊撹拌供給システムである。
【００４０】
起動信号は撹拌供給モーターを回転起動させる信号であり、撹拌供給切り替え信号は、撹拌供給モーターの回転方向を切り替える信号であることを特徴とするので、
従来技術の糊撹拌供給装置の基本仕様を継承した方法であるので、糊撹拌供給装置の製造原価を低くおさえることができる。
【００４１】
糊撹拌供給装置は、ホースの先端が糊撹拌供給装置に戻されていることを検知するためのホース差し込み検知手段を有し、糊撹拌供給装置が自動壁紙糊付機にホース差し込み信号を送信し、自動壁紙糊付機がホース差し込み信号を受信することにより、糊撹拌供給装置が撹拌可能な状態であることを自動壁紙糊付機が検知することを特徴とするので、
糊撹拌供給装置のホースが糊撹拌供給装置に戻されていることを、自動壁紙糊付機が検知して、撹拌準備が完了した状態で、撹拌を行うので撹拌途中の糊と水が床にこぼれることはない。
【図面の簡単な説明】
【００４２】
【図１】図１は、本発明の糊撹拌供給システムのブロック図である。
【図２】図２は、本発明の糊撹拌供給装置の本発明のホース差し込み検知手段を説明するための図であり、図２（ａ）はいずれにも差し込んでいない状態を示し、図２（ｂ）は、糊撹拌供給装置の蓋に差し込んだ状態を示し、図２（ｃ）は、自動壁紙糊付機の糊箱に差し込んだ状態を示している。
【図３】図３は、本発明の糊撹拌供給システムが撹拌を実行する場合の機器接続を説明するための図である。
【図４】図４は、本発明の糊撹拌供給システムが供給を実行する場合の機器接続を説明するための図である。
【図５】図５は、本発明の自動壁紙糊付機の起動時の処理のフローチャートである。
【図６】図６は、本発明の自動壁紙糊付機が、糊付け長さが糊切れ警告長に達した場合に糊撹拌供給装置を起動させる方法で糊付けを実行しながら糊撹拌供給装置の糊残量を算出する処理のフローチャートである。
【図７】図７は、本発明の自動壁紙糊付機が、糊付け長さが糊切れ警告長に達した場合に糊撹拌供給装置を起動させる方法で糊付けを実行しながら糊撹拌供給装置の糊残量を算出する処理の、糊残量算出詳細のフローチャートである。
【図８】図９は、本発明の自動壁紙糊付機が、糊を含む糊箱の重量が所定の重量よりも軽くなった場合に、糊撹拌供給装置を起動させる方法で糊付けを実行しながら糊撹拌供給装置の糊残量を算出する処理のフローチャートである。
【図９】図９は、本発明の自動壁紙糊付機が、糊を含む糊箱の重量が所定の重量よりも軽くなった場合に、糊撹拌供給装置を起動させる方法で糊付けを実行しながら糊撹拌供給装置の糊残量を算出する処理の、糊残量算出詳細のフローチャートである。
【図１０】図１０は、本発明の自動壁紙糊付機が糊撹拌供給装置を制御するタイミングを説明するための図であり、図１０（ａ）は撹拌を実行する場合であり、図１０（ｂ）は洗浄を実行する場合である。
【図１１】図１１は、本発明の自動壁紙糊付機の記憶部に記憶している、制御糊量と壁紙に塗布する糊の厚みと幅と粘度から求めた糊切れ警告長の表である。
【図１２】図１２は、従来技術の糊撹拌供給システムのブロック図である。
【図１３】図１３は、従来技術の糊撹拌供給システムが撹拌を実行する場合の機器接続を説明するための図である。
【図１４】図１４は、従来技術の糊撹拌供給システムが供給を実行する場合の機器接続を説明するための図である。
【発明を実施するための最良の形態】
【００４３】
図１と図３と図４を用いて、本発明の糊撹拌供給システム（１）の構成を説明する。
本発明の糊撹拌供給システム（１）は、自動壁紙糊付機（１０）と糊撹拌供給装置（５０）からなり、自動壁紙糊付機（１０）には、糊撹拌供給システム（１）を制御するための壁紙糊付制御部（１１）が設けられており、
壁紙糊付制御部（１１）は、壁紙糊付表示操作部（１２）とモーター制御部（１６）と 壁紙搬送モーター（１８）と記憶部（１４）と検尺部（１５）と壁紙糊付演算部（１３）と糊撹拌供給装置制御部（１７）を有している。
【００４４】
壁紙糊付表示操作部（１２）は、液晶表示器とＬＥＤを備え、作業者が設定した「設定糊付け長さ」や「設定枚数」や「糊付け実行速度」などの、糊付けを実行するための作動条件や、補助機能の設定内容や、高電圧や糊残量などの警告や、糊を塗布して排出した壁紙Ａの長さである「実行糊付け長さ」などを表示する。また、壁紙糊付表示操作部（１２）には、自動壁紙糊付機（１）を操作するための複数のキースイッチ（図示せず）が設けられている。また、操作音や通知音を発生するブザー（図示せず）が設けられている。
【００４５】
モーター制御部（１６）は壁紙搬送モーター（１８）から出力される回転方向や回転速度に比例した信号により壁紙搬送モーター（１８）を速度制御するものである。
【００４６】
壁紙搬送モーター（１８）はＤＣブラシレスモーターであり、内部に実装されたホール素子によりローターの位置を検出して回転方向と回転速度に比例した信号を出力する機能を有している。
【００４７】
記憶部（１４）は、壁紙糊付演算部（１３）が処理を実行する為に必要な変数や、作動条件などのデータや糊付実行レコード等のデーターを記憶するためのＲＡＭとＲＯＭである。
【００４８】
検尺部（１５）は、搬送される壁紙に従動回転する検尺ローラー（１９）の回転に比例する検尺信号を生成し、搬送された壁紙Ａの長さＬを、生成された検尺信号のパルスの数を変数ｋｔとして計数し、演算式  Ｌ＝ｋｔ×Ｐ  （Ｐは１パルスの壁紙移動長＝２．５ｍｍ）により算出する。検尺信号は、検尺ローラー（１９）に設けられたスリット板（図示せず）とフォトマイクロセンサ（図示せず）により生成され、演算は、壁紙糊付演算部（１３）が行う。
本発明の自動壁紙糊付機（１０）では、検尺ローラー（１９）が１回転すれば、検尺信号は４８パルス生成され、壁紙Ａが２．５ｍｍ移動すると１パルス発生するように検尺ローラー（１９）の外径を定めている。
壁紙糊付演算部（１３）は、糊付けを実行しつつ、演算により求めた長さＬを「実行糊付け長さ」として、壁紙糊付表示操作部（１２）に表示する。
【００４９】
壁紙糊付演算部（１３）は、主にワンチップマイコンからなり、予め定められたシーケンスを実行することにより、糊撹拌供給システム（１）の全体を制御するものであり、検尺部（１５）により生成される検尺信号を計数して搬送した壁紙Ａの「実行糊付け長さ」を算出する。また、壁紙糊付表示操作部（１２）やモーター制御部（１６）などや糊撹拌供給装置（５０）を制御する機能を有している。
【００５０】
また、壁紙糊付演算部（１３）は、糊箱（２４）に貯留された糊Ｂの液面高さが、
制御領域下限高さから制御領域上限高さに至るまでの糊Ｂの量を制御糊量と定め、
制御糊量と、壁紙Ａに塗布する糊Ｂの塗布厚みと壁紙の幅と糊の粘度から糊切れ警告長を求め、糊付け長さが糊切れ警告長に達した場合に、糊撹拌供給装置（５０）を起動させて、予め定めた一定量の糊Ｂを糊箱（２４）に補充量する機能を有する。
【００５１】
また、壁紙糊付演算部（１３）は、糊Ｂを含む糊箱（２４）の重量を検出する重量検出部（図示せず）が検出した検出重量を受信し、検出重量が所定の重量よりも軽くなった場合に糊切れと判定し、予め定められた時間だけ糊撹拌供給装置（５０）を起動させて、糊Ｂを糊箱（２４）に補充する機能を有する。
【００５２】
糊撹拌供給装置制御部（１７）は、糊撹拌供給装置（５０）の撹拌供給駆動制御部（５１）に対して、糊撹拌供給装置（５０）を起動するための制御信号として、撹拌供給モーター（５２）を回転させる起動信号（２９）と、撹拌を実行させるか、あるいは供給を実行させるかを切り替えるための制御信号として、撹拌供給モーター（５２）の回転方向を切り替える撹拌供給切り替え信号（３０）を送信する。
また、糊撹拌供給装置（５０）の撹拌供給駆動制御部（５１）から送信される、ホース差し込み信号（６２ａ）とホース差し込み信号（６２ｂ）を受信する機能を有している。
【００５３】
また、自動壁紙糊付機（１０）は、壁紙Ａを搬送して糊Ｂを塗布するための複数のローラーを軸支するためのフレームや、複数の歯車や、糊Ｂを貯留する糊箱（２４）やスリッター（２５）などを装着する本体部と脚部（２８）で構成され、壁紙Ａの壁紙原反が壁紙保持用リール（２６）に保持されて原反受け（２７）にセットされる。
壁紙原反から引き出された壁紙Ａは、送り出しローラー（２０）と検尺ローラー（１９
）により搬送され、糊箱（２４）に貯留されている糊Ｂが糊上げローラー（２２）により汲み上げられて糊付けローラー（２１）に転写され、ドクターローラー（２３）により規制された厚みの糊量が壁紙Ａに塗布される。
【００５４】
続いて、糊撹拌供給装置（５０）の構成を説明する。
糊撹拌供給装置（５０）は、回転方向を切り替え可能な撹拌供給モーター（５２）に、第１のワンウェイクラッチ（５３ａ）を介して結合された撹拌羽根により糊を撹拌し、撹拌供給モーター（５２）に第２のワンウェイクラッチ（５３ｂ）を介して結合された糊供給ポンプにより、自動壁紙糊付機（１０）に対して糊の供給を行い、単一の撹拌供給モーター（５２）の回転方向を切り替えることにより、糊の撹拌と供給を切り替えて実行するものである。
撹拌供給モーター（５２）がＣＷ方向（時計回り）に回転した場合には撹拌羽根が回転し、
ＣＣＷ（反時計回り）に回転した場合には糊供給ポンプが作動する。
【００５５】
撹拌供給駆動制御部（５１）は、自動壁紙糊付機（１０）の壁紙糊付制御部（１１）の糊撹拌供給装置制御部（１７）から送信される起動信号（２９）と撹拌供給切り替え信号（３０）を受信して、複数のソリッドステートリレー等の回路により、撹拌供給モーター（５２）をＣＷ方向またはＣＣＷ方向に回転させる機能と、糊撹拌供給装置（５０）のホース差し込み検知手段（５７）のホース差し込み信号（６２ａ）とホース差し込み信号（６２ｂ）を、自動壁紙糊付機（１０）の壁紙糊付制御部（１１）の糊撹拌供給装置制御部（１７）に送信する機能を有するものである。
【００５６】
また、糊撹拌供給装置（５０）には、図３に示すように、側面に目盛り付き窓（５８）が設けられた糊タンク（５５）と蓋（５９）と運搬用の取手（６１）が設けられている。
また、糊タンク（５５）の底部から、長さ約２メートルのホース（５４）が設けられており、ホース（５４）の先端にはノズル（５６）が脱着可能に取り付けられている。
また、蓋（５９）には、ノズル（５６）を差し込んで保持するためのゴムブッシュ付きの穴（６３）が設けられている。
また、ホース（５４）には、運搬時にホース（５４）を固定するためのフック（６０）が
取り付けられている。
【００５７】
また、ホース（５４）の先端付近には、図２（ａ）に示す、ホース（５４）の先端が糊撹拌供給装置（５０）に戻されていることを検知するためのホース差し込み検知手段（５７）が設けられている。ホース差し込み検知手段（５７）は糊撹拌供給装置（５０）が撹拌可能な状態になっていることを検知するためのものであり、ホース差し込み検知手段（５７）の内部は、ロングストローク型のマイクロスイッチ２個で構成され、それぞれのマイクロスイッチの、スイッチ先端（６４ａ）とスイッチ先端（６４ｂ）が外へ突出しており、マイクロスイッチの信号はホース（５４）の肉厚部に内蔵された信号線によりコネクタ（図示せず）に接続され、信号ケーブル（２）に接続されている。
【００５８】
図２（ｂ）は、ホース（５４）のノズル（５６）を糊撹拌供給装置（５０）の蓋（５９）
に差し込んでゴムブッシュ付きの穴（６３）で保持されている時のホース差し込み検知手段（５７）の状態を示しており、蓋の段差部（５９ａ）により、スイッチ先端（６４ａ）が内部へへこんでＯＮし、ホース差し込み検知信号（６２ａ）はローレベル出力となり、スイッチ先端（６４ｂ）は突出したままでＯＦＦしており、ホース差し込み検知信号（６２ｂ）はハイレベル出力となる。
自動壁紙糊付機（１０）の壁紙糊付演算部（１３）は、糊撹拌供給装置（５０）の撹拌供給駆動制御部（５１）から送信される、ホース差し込み検知信号（６２ａ）がローレベル、かつ、ホース差し込み検知信号（６２ｂ）がハイレベルとなっていることを受信することにより、糊撹拌供給装置（５０）のホース（５４）の先端が糊タンク（５５）に戻されて、糊撹拌供給装置（５０）が撹拌可能な状態になっていることを検知する。
【００５９】
図２（ｃ）、ホース（５４）の先端を自動壁紙糊付機（１０）の糊箱（２４）の底部に、糊供給ジョイント（３１）を用いて接続したのホース差し込み検知手段（５７）の状態を示しており、スイッチ先端（６４ａ）とスイッチ先端（６４ｂ）両方がＯＮし、ホース差し込み検知信号（６２ａ）とホース差し込み検知信号（６２ｂ）は共にローレベル出力となる。
【００６０】
一方、ホース（５４）が、蓋（５９）にも糊箱（２４）にも接続されていない状態では、
スイッチ先端（６４ａ）とスイッチ先端（６４ｂ）両方がＯＦＦし、ホース差し込み検知信号（６２ａ）とホース差し込み検知信号（６２ｂ）は共にハイレベル出力となる。
【００６１】
また、糊撹拌供給装置（５０）の撹拌供給駆動制御部（５１）は、信号ケーブル（２）により、自動壁紙糊付機（１０）の糊撹拌供給装置制御部（１７）と接続される。
信号ケーブル（２）は多芯シールド電線であり、両端にコネクタ（図示せず）が設けられており、ホース差し込み検知信号（６２ａ）と、ホース差し込み検知信号（６２ｂ）と、起動信号（２９）と撹拌供給切り替え信号（３０）と、信号ケーブル（２）が接続されているか否かの状態を示す信号（図示せず）とＧＮＤ（電圧０Ｖレベル）などが伝送される。
【００６２】
続いて、本発明の糊撹拌供給システム（１）を用いて、糊の撹拌を行うようすを図３を用いて説明する。自動壁紙糊付機（１０）は外部電源Ｄ に接続されて起動し、糊撹拌供給装置（５０）は外部電源Ｅに接続されて起動する。外部電源Ｄ、及び外部電源Ｅはほとんどの内装施工現場では、電力会社から供給される商用電源の異なるコンセントとなるが、状況によっては、ディーゼルエンジン発電機や自動車のバッテリーを使用する場合もある。
【００６３】
信号ケーブル（２）により、糊撹拌供給装置（５０）の撹拌供給駆動制御部（５１）は、自動壁紙糊付機（１０）の糊撹拌供給装置制御部（１７）と接続されている。
【００６４】
ペースト糊１８Ｋｇを水１２リットルで希釈撹拌して、粘度８０００Ｃｐの糊を３０Ｋｇ生成する場合において撹拌を説明する。
自動壁紙糊付機（１０）の壁紙糊付演算部（１３）は、図５のフローチャートに示す処理を実行し、作業者により処理ＳＴＰ４の撹拌実行が指示されるか、あるいはＳＴＰ５の洗浄実行が指示されるかの選択を待ち、どちらが指示された場合でも、図３に示す状態では、糊撹拌供給装置（５０）のホース（５４）のノズル（５６）は糊撹拌供給装置（５０）の蓋（５９）のゴムブッシュ付きの穴（６３）差し込まれているので、ホース差し込み検知信号（６２ａ）はローレベル出力であり、ホース差し込み検知信号（６２ｂ）はハイレベル出力となっているので、壁紙糊付演算部（１３）は、ホース（５４）の先端がゴムブッシュ付きの穴（６３）差し込まれて、糊撹拌供給装置（５０）が撹拌可能な状態であることを検知し、処理ＳＴＰ４または処理ＳＴＰ５のいずれか選択された方を実行する。
一方、ホース差し込み検知信号（６２ａ）がローレベル出力で、かつ、ホース差し込み検知信号（６２ｂ）がハイレベル出力でない場合は、糊撹拌供給装置（５０）が撹拌可能な状態であることが検知できないので、壁紙糊付演算部（１３）はエラー警告を壁紙糊付表示操作部（１２）に出力し、処理ＳＴＰ４と処理ＳＴＰ５のいずれの処理も実行しない。
【００６５】
処理ＳＴＰ４の撹拌実行が指示された場合、壁紙糊付演算部（１３）は図１０（ａ）に示すタイミングで糊撹拌供給装置（５０）を制御する。
まず最初に、壁紙糊付演算部（１３）は、生成する糊の条件である、ペースト糊１８Ｋｇを水１２リットルで希釈撹拌して粘度８０００Ｃｐの糊を３０Ｋｇ生成する。ということを記憶部（１４）に記憶する。
続いて、図１０（ａ）の、点１において、撹拌供給切り替え信号（３０）をＣＷ方向（撹拌羽根）にして送信し、点２において、起動信号（２９）をＯＮにして送信すると、糊撹拌供給装置（５０）の撹拌供給駆動制御部（５１）が受信し、撹拌供給モーター（５２）をＣＷ方向に回転させ、第１のワンウェイクラッチ（５３ａ）を介して結合された撹拌羽根が回転し、糊と水を撹拌する。
そして、時間Ｔ１１（約１０分）経過後に起動信号（２９）をＯＦＦにしてモーター（５２）止めて撹拌を停止させる（点３）。
【００６６】
ここまでの動作により、糊と水が撹拌されて壁紙糊付け用の糊Ｃが生成されたのであるが、まだ、糊タンク（５５）の下方のポンプ部（図示せず）とホース（５４）の根元に水が溜まっており、この水を抜く必要があるので、壁紙糊付演算部（１３）は、撹拌供給切り替え信号（３０）をＣＣＷ方向（糊供給ポンプ）に切り替えてから、起動信号（２９）をＯＮにして送信すると、糊撹拌供給装置（５０）の撹拌供給駆動制御部（５１）が受信し、撹拌供給モーター（５２）をＣＣＷ方向に回転させ、第２のワンウェイクラッチ（５３ｂ）を介して結合された糊供給ポンプが作動し、糊タンク（５５）の下方のポンプ部（図示せず）とホース（５４）の根元に溜まっていた水が糊供給ポンプにより汲み上げられてホース（５４）の先端のノズル（５６）から糊タンク（５５）に入り、撹拌された壁紙糊付け用の糊Ｃの上にこぼれる。
そして、時間Ｔ１２（約３０秒）経過後に起動信号（２９）をＯＦＦにしてモーター（５２）を停止させる（点５）。
【００６７】
そして、この水も壁紙糊付け用の糊Ｃと混ぜる必要があるので、壁紙糊付演算部（１３）は撹拌供給切り替え信号（３０）をＣＷ方向（撹拌羽根）にし、点６で起動信号（２９）をＯＮにして送信すると（点６）、糊撹拌供給装置（５０）の撹拌供給駆動制御部（５１）が受信し、撹拌供給モーター（５２）をＣＷ方向に回転させ、第１のワンウェイクラッチ（５３ａ）を介して結合された撹拌羽根により糊と水を撹拌する。
そして、時間Ｔ１３（約１分）経過後に起動信号（２９）をＯＦＦにしてモーター（５２）止めて撹拌を停止させる（点７）。
【００６８】
以上、説明したように、本発明の糊撹拌供給システム（１）は、自動壁紙糊付機（１０）の壁紙糊付演算部（１３）が、図１０（ａ）に示すタイミングで撹拌供給切り替え信号（３０）と起動信号（２９）を送信し、糊撹拌供給装置（５０）が受信することにより、自動壁紙糊付機（１０）の壁紙糊付演算部（１３）が糊撹拌供給装置（５０）を撹拌と供給を切り替えて制御し、作業者が糊撹拌供給装置（５０）の操作を行わなくても、全自動で糊と水の撹拌が行われるものである。
【００６９】
また、本発明の糊撹拌供給システム（１）は、糊撹拌供給装置（５０）がホース差し込み検知信号（６２ａ）とホース差し込み検知信号（６２ｂ）を送信し、自動壁紙糊付機（１０）の壁紙糊付演算部（１３）が受信することにより、自動壁紙糊付機（１０）が糊撹拌供給装置（５０）が撹拌可能な状態であることを検知するので、糊が床などに溢れることを未然に防止できるものである。
【００７０】
続いて、本発明の糊撹拌供給システム（１）が壁紙の糊付けを実行しながら、糊撹拌供給装置（５０）の糊タンク（５５）に貯留された糊Ｃを、自動壁紙糊付機（１０）の糊箱（２４）に供給（補充）し、糊タンク（５５）に貯留された糊Ｃの糊残量を算出する様子を、
自動壁紙糊付機（１０）が、糊箱（２４）に貯留された糊Ｂの液面高さを、制御領域下限高さから制御領域上限高さに至るまでの糊Ｂの量を制御糊量と定め、制御糊量と、壁紙Ａに塗布する糊Ｂの塗布厚みと壁紙の幅と糊の粘度から、糊切れ警告長を求め、糊付け長さが糊切れ警告長に達した場合に、糊撹拌供給装置（５０）を起動させて、予め定めた一定量の糊Ｃを糊箱（２４）に補充量する糊供給処理（特許、第５０９２０９６号）を実行する場合について、図６のフローチャートと図７のフローチャートを用いて説明する。
【００７１】
図６のフローチャートの処理ＭＴＰ１では、自動壁紙糊付機（１０）の壁紙糊付演算部（１３）は、記憶部（１４）に記憶している、図１１の表に示す長さデータを読み出す。
図１１の表に示す長さデータは、制御糊量が３．０Ｋｇで、壁紙の幅が１．０ｍの時の、
糊の粘度毎の、糊Ｂの塗布厚み毎の、糊付けができる長さＬＫ（ｍ）である。
ここで、壁紙糊付演算部（１３）は、撹拌動作の時に記憶部（１４）記憶していた糊Ｃの生成条件である、粘度８０００Ｃｐで３０Ｋｇという条件を引用するか、あるいは、作業者により、糊撹拌供給装置（５０）の目盛り付き窓（５８）から糊Ｃの液面高さが目視され、目盛り値と粘度を、壁紙糊付表示操作部（１２）から入力されるか、どちらかの生成条件に基づき、初期残量を算出する。
ここでは、撹拌動作の時に記憶部（１４）記憶していた糊Ｃの生成条件で糊付けを行うとして以下の説明をする。
粘度８０００Ｃｐは、図１１の表の薄い粘度に該当する。また、糊付けローラー（２１）とドクターローラー（２３）の隙間を２．０ｍｍに設定されているとし、糊付けができる長さＬＫ（ｍ）は２０ｍである。
また、糊Ｃは３０Ｋｇ生成されて糊タンク（５５）に貯留されているので、糊タンク（５５）に貯留されている糊Ｃ３０Ｋｇを、糊付けができる長さに換算すると、
ＬＫ２０ｍ  × （貯留量３０Ｋｇ  ÷  制御糊量３．０Ｋｇ）＝ ２００ｍ
となり、これを、糊タンク（５５）に貯留されている糊Ｃの糊残量ＬＮＫの初期値２００ｍとして定める。
【００７２】
続いて作業者により、糊を付ける壁紙Ａの「設定糊付け長さ」や「設定枚数」や「糊付け実行速度」などの作動条件が設定され、壁紙糊付演算部（１３）は記憶部（１４）に記憶する。
スタートスイッチ（図示せず）が押されると、壁紙糊付演算部（１３）は処理を実行するために必要なパラメータの初期化を行い、処理ＭＴＰ３で使用するパラメータである、
パラメータｓとパラメータＭを初期化する。処理ＭＴＰ２では、壁紙糊付演算部（１３）は、パラメータｋｔとパラメータＬを初期化する。
そして、ホース差し込み検知手段（５７）の信号を受信し、ホース差し込み検知信号（６２ｂ）が共にローレベル出力となっていない場合はエラー警告を出して作業者にホース（５４）を確実に差し込むことを促す。
ホース差し込み検知信号（６２ａ）とホース差し込み検知信号（６２ｂ）は共にローレベル出力となっていることが検知できた場合にのみ処理を進め、「糊付け実行速度」で壁紙搬送モーター（１８）を回転させ、壁紙Ａを搬送して糊付けを開始し、自動壁紙糊付機（１０）の糊箱（２４）に貯留された糊Ｂが糊上げローラー（２２）によって汲み上げられて、糊付けローラー（２１）とドクターローラー（２３）の隙間により定めらた厚みで壁紙Ａに塗布され、糊箱（２４）に貯留された糊Ｂが消費され減少していくと、壁紙糊付演算部（１３）は、時分割多重処理で実行されている糊供給処理（特許、第５０９２０９６号の処理）を実行し、消費量が制御糊量に達する毎に、糊撹拌供給装置（５０）の糊タンク（５５）に貯留されている糊Ｃを糊箱（２４）に供給（補充）する。
【００７３】
処理ＭＴＰ３では、壁紙糊付演算部（１３）は、検尺部（１５）が生成する検尺信号パルスを計数し、糊を付けて搬送した壁紙Ａの「実行糊付け長さ」を算出する。
第１のカウンタとしての、
パラメータｋｔを、ｋｔ←ｋｔ＋１として、検尺信号パルスを１つ計数する毎に加算し、
糊を付けた壁紙の長さである「実行糊付け長さ」Ｌを、Ｌ＝ｋｔ×Ｐ、（Ｐは検尺信号パルスを１つ計数した場合の壁紙Ａの移動距離（検尺ローラー（１９）の直径に基づき定めている定数））として求める。
また、糊残量ＬＮＫを算出するタイミングを定めるための、第２のカウンタとしての、
パラメータｓを、ｓ←ｓ＋１として、検尺信号パルスを１つ計数する毎に加算し、第２のカウンタｓに対応する糊付け長さＭを、  Ｍ＝ｓ×Ｐとして求める。
【００７４】
処理ＭＴＰ４では、壁紙糊付演算部（１３）は、糊残量ＬＮＫを算出するための糊付け長さＭが所定の長さに到達しているかどうかを判定する。糊付け長さＭが１００ｃｍ以上であれば糊残量処理ＭＴＰ７を実行し、長さＭが１００ｃｍ以下であれば処理ＭＴＰ５を実行する。
【００７５】
処理ＭＴＰ５では、壁紙糊付演算部（１３）は、糊付けした長さである「実行糊付け長さ」が作業者により設定された長さである「設定糊付け長さ」に達したかどうかを判定し、達していれば処理ＭＴＰ６を実行し、達していなれば処理ＭＴＰ３へ戻る。
【００７６】
処理ＭＴＰ６では、壁紙糊付演算部（１３）はモーター（１６）を停止し、１枚の壁紙Ａの糊付け実行を終え、処理の実行を再び、処理ＭＴＰ２に戻して、２枚目の壁紙Ａの糊付けを実行する。
【００７７】
糊残量算出処理ＭＴＰ７の内容を図７のフローチャートに示す。（図７のフローチャートの処理ＳＺＰ１から処理ＳＺＰ６は糊残量算出処理ＭＴＰ７の詳細である。）
処理ＳＺＰ１では、壁紙糊付演算部（１３）は、糊残量ＬＮＫから糊付け長さＭを減算し、ＬＮＫ←ＬＮＫ−Ｍとして、現時点の糊残量ＬＮＫを算出する。
また、糊残量ＬＮＫは、壁紙糊付表示操作部（１２）に表示する。
【００７８】
処理ＳＺＰ２では、現時点の糊残量ＬＮＫが所定の長さ以下になっているか否かを判定する。糊残量ＬＮＫが所定の長さ以上であれば、処理の実行を図６の処理ＭＴＰ５に戻す。  この判定に用いる所定の長さは、０ｍ、あるいは１０ｍ、あるいは２０ｍなどに、壁紙糊付表示操作部（１２）から作業者が設定変更可能である。
糊残量ＬＮＫが所定の長さ以下であって０ｍでない場合は、処理ＳＺＰ３と処理ＳＺＰ４を実行し、処理ＳＺＰ４において、糊撹拌供給装置（５０）の糊タンク（５５）に貯留されている糊Ｃが少なくなっていることの警告を、自動壁紙糊付機（１０）の壁紙糊付表示操作部（１２）に表示するので、作業者は、１枚の壁紙Ａの糊付けが完了して壁紙糊付演算部（１３）が壁紙搬送モーター（１８）を止めた時（図６のフローチャートの処理ＭＴＰ６の時）に、図５のフローチャートの処理ＳＴＰ４の実行を指示してペースト糊と水の撹拌を再度行う。
【００７９】
一方、作業者が警告を見ても再撹拌を行わず、糊残量ＬＮＫが０ｍになった場合には、壁紙糊付演算部（１３）は処理ＳＺＰ５を実行し、壁紙搬送モーター（１８）を止めて、糊付けの途中で、糊付けを一旦停止し、糊撹拌供給装置（５０）の糊タンク（５５）に貯留されている糊Ｃがないから糊付けを一旦停止したという警告を、自動壁紙糊付機（１０）の壁紙糊付表示操作部（１２）に表示するので、作業者は、壁紙糊付演算部（１３）に対し、図５のフローチャートの処理ＳＴＰ４の実行を指示してペースト糊と水の撹拌を再度行う。
【００８０】
処理ＳＺＰ６では、パラメータ糊残量ＬＮＫとパラメータｓとパラメータＭを初期化し、
図６のフローチャートの処理ＭＴＰ５へ戻る。
【００８１】
続いて、本発明の糊撹拌供給システム（１）が壁紙の糊付けを実行しながら、糊撹拌供給装置（５０）の糊タンク（５５）に貯留された糊Ｃを、自動壁紙糊付機（１０）の糊箱（２４）に供給（補充）し、糊タンク（５５）に貯留された糊Ｃの糊残量を算出する様子を、
糊Ｂを含む糊箱（２４）の重量を検出する重量検出部（図示せず）により、検出重量が所定の重量よりも軽くなった場合に糊切れと判定し、予め定められた時間だけ糊撹拌供給装置（５０）を起動させて、糊Ｃを糊箱（２４）に補充する方法の場合について、図８のフローチャートと図９のフローチャートを用いて説明する。
図８のフローチャートの処理ＷＴＰ１では、壁紙糊付演算部（１３）は、糊Ｃの撹拌生成条件に基づき、糊タンク（５５）に貯留された糊Ｃの初期残量を算出する。
ここで、壁紙糊付演算部（１３）は、撹拌動作の時に記憶部（１４）記憶していた糊Ｃの生成条件である、粘度８０００Ｃｐで３０Ｋｇという条件を引用するか、あるいは、作業者により、糊撹拌供給装置（５０）の目盛り付き窓（５８）から糊Ｃの液面高さが目視され、目盛り値と粘度を、壁紙糊付表示操作部（１２）から入力されるか、どちらかの生成条件に基づき、初期残量を算出する。
撹拌動作の時に記憶部（１４）記憶していた糊Ｃの生成条件で糊付けを行うとして以下の説明をする。
糊撹拌供給装置（５０）の糊供給能力は図１１の表に示す、極薄い粘度から極濃い粘度までの糊Ｃを約１０秒間起動されれば３．０Ｋｇの量を自動壁紙糊付機（１０）の糊箱（２４）に供給（補充）できる供給能力を有しているので、
１０秒  ×  （３０Ｋｇ  ÷  ３．０Ｋｇ）  ＝１００秒  となり、
糊撹拌供給装置（５０）が１００秒間起動されれば、糊タンク（５５）に貯留されている糊Ｃはなくなるので、糊タンク（５５）に貯留されている糊Ｃの初期残量を１００秒と定める。
続いて、作業者により、糊を付ける壁紙Ａの「設定糊付け長さ」や「設定枚数」や「糊付け実行速度」などの作動条件が設定され、壁紙糊付演算部（１３）は、「設定糊付け長さ」を記憶し、スタートスイッチ（図示せず）が押されると処理ＷＴＰ２を実行する。
【００８２】
処理ＷＴＰ２では、壁紙糊付演算部（１３）は、パラメータｋｔとパラメータＬを初期化し、「糊付け実行速度」で壁紙搬送モーター（１８）を回転させ、壁紙Ａを搬送して糊付けを開始し、自動壁紙糊付機（１０）の糊箱（２４）に貯留された糊Ｂが糊上げローラー（２２）によって汲み上げられて、糊付けローラー（２１）とドクターローラー（２３）で定めらた厚みで壁紙Ａに塗布され、糊箱（２４）に貯留された糊Ｂが消費され減少していくと、壁紙糊付演算部（１３）は、時分割多重処理で、重量検出部の糊検知処理（図示せず）を実行し、検出重量が所定の重量よりも軽くなった場合に糊切れと判定し、予め定められた時間だけ糊撹拌供給装置（５０）を起動させて、糊タンク（５５）に貯留された糊Ｃを、自動壁紙糊付機（１０）の糊箱（２４）に供給（補充）する。
予め定められている糊撹拌供給装置（５０）の起動時間（供給（補充）時間）をＡ秒とする、
【００８３】
処理ＷＴＰ３では、壁紙糊付演算部（１３）は、検尺部（１５）が生成する検尺信号パルスを計数し、糊を付けて搬送した壁紙Ａの「実行糊付け長さ」を算出する。
第１のカウンタとしての、
パラメータｋｔを、ｋｔ←ｋｔ＋１として、検尺信号パルスを１つ計数する毎に加算し、
糊を付けた壁紙の長さである「実行糊付け長さ」Ｌを、Ｌ＝ｋｔ×Ｐ、（Ｐは検尺信号パルスを１つ計数した場合の壁紙Ａの移動距離（検尺ローラー（１９）の直径に基づき定めている定数））として求める。
【００８４】
処理ＷＴＰ４では、壁紙糊付演算部（１３）は、重量検出部の糊切れと判定が生じたかどうかを確認し、糊切れと判定が生じた場合には、糊残量ＮＺＫを算出するための処理ＷＴＰ７を実行し、糊切れと判定が生じていなければ、処理ＷＴＰ５へ進む。
【００８５】
処理ＷＴＰ５では、壁紙糊付演算部（１３）は、糊付けした長さである「実行糊付け長さ」が作業者により設定された長さである「設定糊付け長さ」に達したかどうかを判定し、達していれば処理ＷＴＰ６を実行し、達していなければ処理ＷＴＰ６へ戻る。
【００８６】
処理ＷＴＰ６では、壁紙糊付演算部（１３）はモーター（１６）を停止し、１枚の壁紙Ａの糊付け実行を終え、処理の実行を再び、処理ＭＴＰ２に戻して、２枚目の壁紙Ａの糊付けを実行する。
【００８７】
糊残量算出処理ＷＴＰ７の内容を図９のフローチャートに示す。
図９のフローチャートのＷＺＰ１からＷＺＰ６は糊残量算出処理ＷＴＰ７の詳細である。
処理ＷＺＰ１では、壁紙糊付演算部（１３）は、糊残量ＮＺＫから、今回の糊切れ判定で起動した時間であるＡ秒を減算し、ＮＺＫ←ＮＺＫ−Ａとして、現時点の糊残量ＮＺＫを算出する。
また、糊残量ＮＺＫは、壁紙糊付表示操作部（１２）に表示する。
【００８８】
処理ＷＺＰ２では、現時点の糊残量ＮＺＫが所定の時間以下になっているか否かを判定する。糊残量ＮＺＫが所定の秒以上であれば、処理の実行を図８の処理ＷＴＰ５に戻す。
この判定に用いる所定の時間は、０秒、あるいは１０秒、あるいは２０秒などに壁紙糊付表示操作部（１２）から設定変更可能である。
【００８９】
糊残量ＮＺＫが所定の秒以下で０秒でなければ、処理ＷＺＰ３と処理ＷＺＰ４を実行し、
糊撹拌供給装置（５０）の糊タンク（５５）に貯留されている糊Ｃが少なくなっていることの警告を、自動壁紙糊付機（１０）の壁紙糊付表示操作部（１２）に表示するので、作業者は、１枚の壁紙Ａの糊付けが完了して壁紙糊付演算部（１３）が壁紙搬送モーター（１８）を止めた時（図８のフローチャートの処理ＷＴＰ６の時）に、図５のフローチャートの処理ＳＴＰ４の実行を指示してペースト糊と水の撹拌を再度行う。
【００９０】
一方、作業者が警告を見ても再撹拌を行わず、糊残量ＮＺＫが０秒になった場合には、壁紙糊付演算部（１３）は処理ＷＺＰ５を実行し、壁紙搬送モーター（１８）を止めて、糊付けの途中で、糊付けを一旦停止し、糊撹拌供給装置（５０）の糊タンク（５５）に貯留されている糊Ｃがないので糊付けを一旦停止したという警告を、自動壁紙糊付機（１０）の壁紙糊付表示操作部（１２）に表示するので、作業者は、図５のフローチャートの処理ＳＴＰ４の実行を指示してペースト糊と水の撹拌を再度行う。
【００９１】
処理ＳＺＰ６では、パラメータ糊残量ＬＮＫとパラメータｓとパラメータＭを初期化し、
図８のフローチャートの処理ＷＴＰ５へ戻る。
【００９２】
続いて、壁紙施工作業が全て完了し、現場を移動する場合の糊撹拌供給装置（５０）の洗浄を説明する。洗浄する場合には、作業者により、糊タンク（５５）内部を洗浄するための少量の洗浄用の水が入れら、蓋（５９）が閉められ、ホース（５４）の先端は自動壁紙糊付機（１０）の糊箱（２４）から外されて、糊撹拌供給装置（５０）の蓋（５９）のゴムブッシュ付きの穴（６３）に差し込まれ、作業者により、洗浄が指示されると、壁紙糊付演算部（１３）は図５のフローチャートの処理ＳＴＰ５を実行し、 図１０（ｂ）に示すタイミングで糊撹拌供給装置（５０）を制御する。
壁紙糊付演算部（１３）は、図１０（ｂ）の、点１で撹拌供給切り替え信号（３０）をＣＷ方向（撹拌羽根）にし、点２で起動信号（２９）をＯＮにして送信すると、糊撹拌供給装置（５０）の撹拌供給駆動制御部（５１）が受信し、撹拌供給モーター（５２）をＣＷ方向に回転させ、第１のワンウェイクラッチ（５３ａ）を介して結合された撹拌羽根により洗浄用の水が回され、糊タンク（５５）の内側に付着している糊Ｃが洗い落とされる。
そして、時間Ｔ２１（約２分）経過後に起動信号（２９）をＯＦＦにしてモーター（５２）止めて撹拌を停止させる（点３）。
【００９３】
続いて、壁紙糊付演算部（１３）は、撹拌供給切り替え信号（３０）をＣＣＷ（糊供給ポンプ）に切り替えてから、起動信号（２９）をＯＮにして送信すると（点４）、撹拌供給駆動制御部（５１）が受信し、撹拌供給モーター（５２）をＣＣＷ（糊供給ポンプ）に回転させ、第２のワンウェイクラッチ（５３ｂ）を介して結合された糊供給ポンプにより、水を糊タンク（５５）とポンプ部（図示せず）とホース（５４）を循環させて洗浄する。
そして、時間Ｔ２２（約２分）経過後に起動信号（２９）をＯＦＦにしてモーター（５２）を停止させる（点５）。
【００９４】
このようにして、本発明の糊撹拌供給システム（１）は、自動壁紙糊付機（１０）の壁紙糊付演算部（１３）が、図１０（ａ）に示すタイミングで撹拌供給切り替え信号（３０）と起動信号（２９）を送信し、糊撹拌供給装置（５０）が受信することにより、自動壁紙糊付機（１０）の壁紙糊付演算部（１３）が糊撹拌供給装置（５０）を制御し、作業者が糊撹拌供給装置（５０）の操作を行わなくても、全自動で水による糊タンク（５５）の洗浄が行われるものである。
【００９５】
本発明の図１０（ａ）に示すタイミングで時間ＴＤ１と時間ＴＤ２を設けている理由は、撹拌供給モーター（５２）の回転方向を瞬時に切り替えた場合、糊供給ポンプが損傷する恐れがあるので、撹拌供給モーター（５２）を一旦停止させてから回転方向を切り替えるようにしているのである。
【００９６】
以上に説明した本発明の糊撹拌供給システム（１）の、図２に示したホース差し込み検知手段（５７）は、マイクロスイッチを用いたものであるが、磁性体が近づいたことを検知してＯＮ、ＯＦＦする磁気式スイッチ（リードスイッチ）を用いて、蓋（５９）に磁性体（磁気シール）を貼り付けておく方法でも同様の効果は得られる。
【００９７】
また、本発明の図１に示した撹拌供給切り替え信号（３０）は１本の信号線で構成し、図１０のタイミングに示すように、信号がハイレベルの状態をＣＷ方向（撹拌羽根）、信号がローレベルの状態をＣＣＷ方向（糊供給ポンプ）と意味付けしているが、
これを、ＣＷ方向信号とＣＣＷ方向信号の独立した２本の信号線で構成し、ＣＷ方向信号がＯＮ（ローレベル）の状態の時に撹拌供給モーター（５２）はＣＷ方向に回転起動し、ＣＷ方向信号がＯＦＦ（ハイレベル）の状態の時に撹拌供給モーター（５２）は停止し、ＣＣＷ方向信号がＯＮ（ローレベル）の状態の時に撹拌供給モーター（５２）はＣＣＷ方向に回転起動し、ＣＣＷ方向信号がＯＦＦ（ハイレベル）の状態の時に撹拌供給モーター（５２）は停止し、ＣＷ方向信号とＣＣＷ方向信号が同時にＯＮした状態（信号ケーブル（２）の故障時など）では撹拌供給モーター（５２）は停止するという方法でも同様の効果は得られる。
【符号の説明】
【００９８】
１    糊撹拌供給システム
２    信号ケーブル
１０  自動壁紙糊付機
１１  壁紙糊付機制御部
１２  壁紙糊付表示操作部
１３  壁紙糊付演算部
１４  記憶部
１５  検尺部
１６  モーター制御部
１７  糊撹拌供給装置制御部
１８  壁紙搬送モーター
１９  検尺ローラー
２０  送り出しローラー
２１  糊付けローラー
２２  糊上げローラー
２３  ドクターローラー
２４  糊箱
２５  スリッター
２６  壁紙保持用リール
２７  原反受け
２８  脚部
２９  起動信号
３０  撹拌供給切り替え信号
３１  糊供給ジョイント
３２  電源コード
５０  糊撹拌供給装置
５１  撹拌供給駆動制御部
５２  撹拌供給モーター
５３ａ第１ワンウェイクラッチ
５３ｂ第２ワンウェイクラッチ
５４  ホース
５５  糊タンク
５６  ノズル
５７  ホース差し込み検知手段
５８  目盛り付き窓
５９  蓋          
５９ａ蓋の段差部
６０  フック
６１  取手
６２ａホース差し込み検知信号
６２ｂホース差し込み検知信号
６３  ゴムブッシュ付きの穴
６４ａスイッチ先端
６４ｂスイッチ先端
６５   電源コード
１１０  自動壁紙糊付機
１１１  壁紙糊付機制御部
１１２  壁紙糊付表示操作部
１１３  壁紙糊付演算部
１１４  記憶部
１１５  検尺部
１１６  モーター制御部
１１８  壁紙搬送モーター
１１９  検尺ローラー
１２０  送り出しローラー
１２１  糊付けローラー
１２２  糊上げローラー
１２３  ドクターローラー
１２４  糊箱
１２５  スリッター
１２６  壁紙保持用リール
１２７  原反受け
１２８  脚部
１３２  電源コード
１３３  サービスコンセント
１５０  糊撹拌供給装置
１５１  撹拌供給駆動制御部
１５２  撹拌供給モーター
１５３ａ第１ワンウェイクラッチ
１５３ｂ第２ワンウェイクラッチ
１５４  ホース
１５５  糊タンク
１５６  ノズル
１５８  目盛り付き窓
１５９  蓋          
１５９ａ蓋の段差部
１６０  フック
１６１  取手
１６３  ゴムブッシュ付きの穴
１６５  電源コード
１６６  撹拌供給操作部
１６７  撹拌タイマー
Ａ    壁紙
Ｂ    糊
Ｃ    糊撹拌供給装置貯留糊
Ｄ    外部電源
Ｅ    外部電源
【図１】
2019188347.tif 000003
【図２】
2019188347.tif 000004
【図３】
2019188347.tif 000005
【図４】
2019188347.tif 000006
【図５】
2019188347.tif 000007
【図６】
2019188347.tif 000008
【図７】
2019188347.tif 000009
【図８】
2019188347.tif 000010
【図９】
2019188347.tif 000011
【図１０】
2019188347.tif 000012
【図１１】
2019188347.tif 000013
【図１２】
2019188347.tif 000014
【図１３】
2019188347.tif 000015
【図１４】
2019188347.tif 000016